(57)【要約】【課題】デバイスの特性の短期的な変動に配慮した補正を行うことのできる画像処理装置を提供する。【解決手段】ターゲットとなる出力デバイスから所定のタイミングで出力された画像について、当該画像に基づいて生成される測定データの入力を受け付け、受け付けられた測定データと、予め基準として設定されている基準データとの比較に基づく補正パラメータを生成し、過去に受け付けられた少なくとも一つの前記測定データ、又は過去に生成した少なくとも一つの補正パラメータに係るデータ、の少なくとも一方を過去補正情報として記憶し、当該記憶されている過去補正情報と、生成した補正パラメータとに基づく、修正補正パラメータを生成して、この修正補正パラメータを、ターゲットとなった出力デバイスの補正処理に供する画像処理装置１である。【選択図】        図１
2005027060.tif 000002
【特許請求の範囲】
【請求項１】
ターゲットとなる出力デバイスから所定のタイミングで出力された画像について、当該画像に基づいて生成される測定データの入力を受け付ける手段と、
前記受け付けられた前記測定データと、予め基準として設定されている基準データとの比較に基づく補正パラメータを生成する手段と、
過去に受け付けられた少なくとも一つの前記測定データ、又は過去に生成した少なくとも一つの補正パラメータに係るデータ、の少なくとも一方を過去補正情報として記憶する記憶手段と、
前記記憶されている過去補正情報と、前記生成した補正パラメータとに基づく、修正補正パラメータを生成する修正補正パラメータ生成手段と、
を含み、
前記修正補正パラメータが、前記ターゲットとなった出力デバイスの補正処理に供されることを特徴とする画像処理装置。
【請求項２】
ターゲットとなる出力デバイスから所定のタイミングで出力された複数の画像について、当該複数の画像のそれぞれに基づいて生成される各測定データに関する統計処理結果のデータと、予め基準として設定されている基準データとの比較に基づく補正パラメータを生成する手段と、
過去に受け付けられた少なくとも一つの前記統計処理結果のデータ、又は過去に生成した少なくとも一つの補正パラメータに係るデータ、の少なくとも一方を過去補正情報として記憶する記憶手段と、
前記記憶されている過去補正情報と、前記生成した補正パラメータとに基づく、修正補正パラメータを生成する修正補正パラメータ生成手段と、
を含み、
前記修正補正パラメータが、ターゲットとなった出力デバイスの補正処理に供されることを特徴とする画像処理装置。
【請求項３】
請求項１又は２に記載の画像処理装置において、
前記修正補正パラメータ生成手段は、
前記記憶されている過去補正情報について、所定の統計処理を行い、当該統計処理結果と、前記生成した補正パラメータとに基づいて、修正補正パラメータを生成する、ことを特徴とする画像処理装置。
【請求項４】
請求項３に記載の画像処理装置において、
前記修正補正パラメータ生成手段によって行われる統計処理は、前記記憶されている過去補正情報に含まれる各データについて、重みを付与して統計量を演算する処理であることを特徴とする画像処理装置。
【請求項５】
請求項３に記載の画像処理装置において、
前記修正補正パラメータ生成手段によって行われる統計処理は、前記記憶されている過去補正情報に含まれる各データの平均処理であることを特徴とする画像処理装置。
【請求項６】
請求項１から５のいずれか一項に記載の画像処理装置において、
前記修正補正パラメータ生成手段は、測定データの基礎となった画像が出力されるタイミングに応じて、修正補正パラメータの生成処理を異ならせることを特徴とする画像処理装置。
【請求項７】
ターゲットとなる出力デバイスから所定のタイミングで出力された画像について、当該画像に基づいて生成される測定データの入力を受け付け、
前記受け付けられた前記測定データと、予め基準として設定されている基準データとの比較に基づく補正パラメータを生成し、
過去に受け付けられた少なくとも一つの前記測定データ、又は過去に生成した少なくとも一つの補正パラメータに係るデータ、の少なくとも一方を過去補正情報として記憶手段に記憶し、
前記記憶されている過去補正情報と、前記生成した補正パラメータとに基づく、修正補正パラメータを生成し、
前記修正補正パラメータを、ターゲットとなった出力デバイスの補正処理に供することを特徴とする画像処理方法。
【請求項８】
コンピュータに、
ターゲットとなる出力デバイスから所定のタイミングで出力された画像について、当該画像に基づいて生成される測定データの入力を受け付ける手順と、
前記受け付けられた前記測定データと、予め基準として設定されている基準データとの比較に基づく補正パラメータを生成する手順と、
過去に受け付けられた少なくとも一つの前記測定データ、又は過去に生成した少なくとも一つの補正パラメータに係るデータ、の少なくとも一方を過去補正情報として記憶する手順と、
前記記憶されている過去補正情報と、前記生成した補正パラメータとに基づく、修正補正パラメータを生成する手順と、
を実行させ、
前記修正補正パラメータを、ターゲットとなった出力デバイスの補正処理に供することを特徴とする画像処理プログラム。
【発明の詳細な説明】
【０００１】
【発明の属する技術分野】
本発明は、プリンタ等の出力デバイス等、画像処理装置に係り、特に出力結果の補正処理の改善に関する。
【０００２】
【従来の技術】
プリンタ等の出力デバイスにおける出力画像の諧調補正方法として、ユーザが指示した時点等、ある時点で、予め定められたキャリブレーションパターンを出力させ、当該出力の結果を測定して、その測定結果と予め定められた基準諧調とを比較して、当該比較の結果に基づくフィードバック制御を行う方法が知られている。
【０００３】
なお、プリンタにおけるキャリブレーションを行うタイミングを、過去のキャリブレーションからの経過時間を表す履歴情報に基づき制御する方法が、特許文献１に開示されている。
【０００４】
【特許文献１】
特開２０００−３１８２６６号公報
【０００５】
【発明が解決しようとする課題】
しかしながら、上記従来のキャリブレーションタイミングを制御する方法は、デバイスの長期的な変動に対するキャリブレーションタイミングを定める際には有効であっても、デバイスの特性の短期的な変動については配慮されていない。すなわち、デバイスの短期的な変動により、キャリブレーションの際に、大きな変動があったとすると、当該変動に起因して過度の補正が行われる結果となって妥当でないが、従来の装置では、かかる短期的変動に対する配慮は為されていなかったのである。
【０００６】
本発明は上記実情に鑑みて為されたもので、デバイスの特性の短期的な変動に配慮した補正（キャリブレーション）を行うことのできる画像処理装置を提供することをその目的の一つとする。
【０００７】
【課題を解決するための手段】
上記従来例の問題点を解決するための本発明は、画像処理装置において、ターゲットとなる出力デバイスから所定のタイミングで出力された画像について、当該画像に基づいて生成される測定データの入力を受け付ける手段と、前記受け付けられた前記測定データと、予め基準として設定されている基準データとの比較に基づく補正パラメータを生成する手段と、過去に受け付けられた少なくとも一つの前記測定データ、又は過去に生成した少なくとも一つの補正パラメータに係るデータ、の少なくとも一方を過去補正情報として記憶する記憶手段と、前記記憶されている過去補正情報と、前記生成した補正パラメータとに基づく、修正補正パラメータを生成する修正補正パラメータ生成手段と、を含み、前記修正補正パラメータが、ターゲットとなった出力デバイスの補正処理に供されることを特徴としている。
【０００８】
このように、過去の補正の履歴を参照して補正パラメータが修正されるので、デバイスの短期的な変動に配慮した補正を行うことができるようになる。また、上記所定のタイミングは、別途定められる時間間隔で繰り返し到来するタイミングとしておくことも好ましい。
【０００９】
また、上記従来例の問題点を解決するための本発明は、画像処理装置において、ターゲットとなる出力デバイスから所定のタイミングで出力された複数の画像について、当該複数の画像のそれぞれに基づいて生成される各測定データに関する統計処理結果のデータと、予め基準として設定されている基準データとの比較に基づく補正パラメータを生成する手段と、過去に受け付けられた少なくとも一つの前記統計処理結果のデータ、又は過去に生成した少なくとも一つの補正パラメータに係るデータ、の少なくとも一方を過去補正情報として記憶する記憶手段と、前記記憶されている過去補正情報と、前記生成した補正パラメータとに基づく、修正補正パラメータを生成する修正補正パラメータ生成手段と、を含み、前記修正補正パラメータが、ターゲットとなった出力デバイスの補正処理に供されることを特徴としている。
【００１０】
これらにおいて、前記修正補正パラメータ生成手段は、前記記憶されている過去補正情報について、所定の統計処理を行い、当該統計処理結果と、前記生成した補正パラメータとに基づいて、修正補正パラメータを生成する、こととしてもよい。さらにここで前記修正補正パラメータ生成手段によって行われる統計処理は、前記記憶されている過去補正情報に含まれる各データについて、重みを付与して統計量を演算する処理であることとしてもよいし、前記修正補正パラメータ生成手段によって行われる統計処理は、前記記憶されている過去補正情報に含まれる各データの平均処理であることとしてもよい。
【００１１】
また、これらにおいて、前記修正補正パラメータ生成手段は、測定データの基礎となった画像が出力されるタイミングに応じて、修正補正パラメータの生成処理を異ならせることとしてもよい。
【００１２】
また、上記従来例の問題点を解決するための本発明は、画像処理方法であって、ターゲットとなる出力デバイスから所定のタイミングで出力された画像について、当該画像に基づいて生成される測定データの入力を受け付け、前記受け付けられた前記測定データと、予め基準として設定されている基準データとの比較に基づく補正パラメータを生成し、過去に受け付けられた少なくとも一つの前記測定データ、又は過去に生成した少なくとも一つの補正パラメータに係るデータ、の少なくとも一方を過去補正情報として記憶手段に記憶し、前記記憶されている過去補正情報と、前記生成した補正パラメータとに基づく、修正補正パラメータを生成し、前記修正補正パラメータを、ターゲットとなった出力デバイスの補正処理に供することを特徴としている。
【００１３】
さらに、上記従来例の問題点を解決するための本発明は、画像処理プログラムであって、コンピュータに、ターゲットとなる出力デバイスから所定のタイミングで出力された画像について、当該画像に基づいて生成される測定データの入力を受け付ける手順と、前記受け付けられた前記測定データと、予め基準として設定されている基準データとの比較に基づく補正パラメータを生成する手順と、過去に受け付けられた少なくとも一つの前記測定データ、又は過去に生成した少なくとも一つの補正パラメータに係るデータ、の少なくとも一方を過去補正情報として記憶する手順と、前記記憶されている過去補正情報と、前記生成した補正パラメータとに基づく、修正補正パラメータを生成する手順と、を実行させ、前記修正補正パラメータを、ターゲットとなった出力デバイスの補正処理に供することを特徴としている。
【００１４】
【発明の実施の形態】
本発明の実施の形態について図面を参照しながら説明する。本発明の実施の形態に係る画像処理装置１は、図１に示すように、ターゲットとなる出力デバイスとしてのプリンタ２と、測定データを出力するスキャナ３とに接続され、制御部１１と、記憶部１２と、データベース部１３と、操作部１４と、入出力部１５とを含んで構成されている。
【００１５】
ここでプリンタ２は、外部から入力される印刷指示に基づき、画像を用紙等の媒体上に形成する。なお、このプリンタ２は、補正用の画像（キャリブレーションパターン）を形成する指示が入力されると、図２に示すようなキャリブレーションパターンを用紙上に形成する。
【００１６】
このキャリブレーションパターンは、図２に示すように、１から３３までの諧調のパターンを、イエロー（Ｙ），マゼンタ（Ｍ），シアン（Ｃ），ブラック（Ｋ）（なおＫについては２回繰り返されている）の各々について配列したものであり、同一の配列が図面上では上下の２箇所に繰り返して印刷される。また、諧調の異なるＹ，Ｍ，Ｃ，Ｋのパッチ（Ｙ，Ｍ，Ｃ，ＫとＹ′，Ｍ′，Ｃ′，Ｋ′）が４箇所に配置され（Ｘ）ている。
【００１７】
さらに、この用紙をスキャンしたときに、各パッチの位置を画定させるためのガイドが用紙上に複数配置される（図面上の６個の丸印；Ｐ）。
【００１８】
スキャナ３は、画像処理装置１等から画像の読み取り指示の入力を受けて、用紙等の媒体上に形成された画像を光学的に読み取って、当該読み取った画像に基づく画像データを生成して出力する。
【００１９】
画像処理装置１の制御部１１は、入出力部１５を介して、プリンタ２及びスキャナ３とに対して、画像データ等を送受可能に接続されている。この制御部１１は、記憶部１２に格納されているプログラムに従って動作しており、操作部１４から入力される指示に従って、スキャナ３に対して画像の読み取り指示を出力し、それに応答してスキャナ３から入力される画像データに基づき、プリンタ２に対する補正用のパラメータ情報を生成して、プリンタ２に出力する処理（補正処理）を実行する。また、この制御部１１は、ユーザから予め定められているタイミングで、プリンタ２に対してキャリブレーションパターンを印刷するよう指示する処理（印刷指示処理）を行う。これら制御部１１の各処理については、後に詳しく述べる。
【００２０】
記憶部１２は、プログラム等を格納するコンピュータ読み取り可能な記録媒体と、当該記録媒体からプログラムなどのデータを読み出して制御部１１に出力するドライブとを含む。また、この記憶部１２は、制御部１１の各処理におけるデータを格納する、ワークメモリとしても動作する。さらに、この記憶部１２には、予め設定された基準データが格納されている。ここでの基準データは、スクリーンパターンごとに決められた、目標トーンカーブを特定するデータである。
【００２１】
データベース部１３は、制御部１１によって実行される補正処理に係る情報を格納している。このデータベース部１３は、例えば制御部１１から入力される指示により、補正用のパラメータ情報と、日時の情報とを関連づけて格納している。操作部１４は、キーパッド等であり、ユーザによって行われる操作の内容を制御部１１に出力する。入出力部１５は、制御部１１から入力される指示に従って、種々のデータをプリンタ２やスキャナ３に出力し、また、プリンタ２やスキャナ３から入力されるデータを制御部１１に出力する。
【００２２】
ここで制御部１１によって行われる補正処理の内容について説明する。この補正処理に先立って、ユーザはプリンタ２にキャリブレーションパターンを形成させ、当該形成によって得られた媒体を、スキャナ３にセットしておく。制御部１１は、ユーザから補正開始の指示の入力を受けて、図３に示す処理を開始し、スキャナ３に対して画像の読み取り指示を出力し、それに応じてスキャナ３から入力される画像データを受け入れて（Ｓ１）、当該画像データに基づいてトーンカーブを生成する（Ｓ２）。例えば図２に示したキャリブレーションパターンからは、Ｃ，Ｍ，Ｙ，Ｋの各色について３３段階のトーン設定値Ｔｓ１〜Ｔｓ３３に対応して実際に形成されたトーンの値Ｔｐ１〜Ｔｐ３３（この値が、測定値の一例に相当する）がそれぞれ測定され、これらの値に基づいてトーンカーブ（トーン設定値に対する実際のトーンの値を表す曲線）を推定して生成できる。このトーンカーブの生成方法は広く知られているので、ここでの詳細な説明を省略する。
【００２３】
トーンカーブを生成すると、制御部１１は、この生成したトーンカーブと、記憶部１２に格納されている基準データによって特定される目標トーンカーブとを比較し、その差のデータを生成する（Ｓ３）。そして制御部１１は、当該差が予め定められたしきい値を越えているか否かを調べ（Ｓ４）、越えていなければ（Ｎｏならば）、そのまま処理を終了する。ここで処理Ｓ３で演算される差のデータは、例えば次のようにして生成される。すなわち図４に示すように、予め比較位置として定められた複数のトーン設定値の位置Ｔｒ１〜Ｔｒｎにおいて、生成されたトーンカーブ（図４で実線で表された曲線）によって示される値Ｔｘ１〜Ｔｘｎと、目標トーンカーブ（図４で一点鎖線で表された曲線）によって示される値Ｔｙ１〜Ｔｙｎとを得ておき、対応する位置での各カーブによって示される値の差Ｔｘ１−Ｔｙ１，Ｔｘ２−Ｔｙ２，…，Ｔｘｎ−Ｔｙｎについて（図４では、Ｔｘ１，Ｔｙ１，Ｔｘｎ、Ｔｙｎのみ図示している）、これらの二乗和を算出して、上記差のデータとすることとしてもよい。なおカラーの場合は、カラーに係る各色（Ｃ，Ｍ，Ｙ，Ｋのそれぞれ等）について、差のデータを生成する。なお、トーン設定値の位置Ｔｒは、等間隔にであってもよいが、必ずしも等間隔である必要はなく、例えば過去のトーンカーブの平均によって得られる過去平均トーンカーブに基づいて変動率の大きいところ（例えば２階微分値の絶対値が大きいところ）ほど集中させるようにしてもよい。
【００２４】
一方、処理Ｓ４において、処理Ｓ３で生成したデータによって表される差が、予め定められたしきい値を越えている場合（Ｙｅｓの場合）は、処理Ｓ２で生成したトーンカーブと、目標トーンカーブとの比較結果に基づいて補正用のパラメータを生成する（Ｓ５）。
【００２５】
次に制御部１１は、データベース部１３から過去に生成した（過去補正情報の一例としての）補正用のパラメータを読み出して（Ｓ６）、当該読み出した過去に生成した補正用のパラメータと、処理Ｓ５で生成した今回の補正用のパラメータとに基づく統計演算を行う（Ｓ７）。そして、その統計演算結果に基づいて修正した補正用のパラメータ（修正補正パラメータ）を生成して（Ｓ８）、当該修正補正パラメータをプリンタ２に出力し（Ｓ９）、処理を終了する。
【００２６】
なお、カラーの場合は、各色（Ｃ，Ｍ，Ｙ，Ｋのそれぞれ等）について、上述の処理を繰り返して行い、各色についての修正補正パラメータを出力する。
【００２７】
プリンタ２では、当該修正補正パラメータを、トーン補正パラメータとして受信し、その後の画像形成の際の補正処理に供することになる。また、制御部１１は、処理Ｓ８で生成した修正補正パラメータと、現在日時（現在日時を計時するカレンダ部（不図示）から取得する）の情報とを関連づけてデータベース部１３に格納する。
【００２８】
ここで補正用のパラメータは、具体的には、画像データのトーン値に対する、画像形成の制御に用いられる値（例えばトナーの濃度を決定する制御電圧信号の電圧値など）を関連づけるパラメータであり、画像データに含まれ得るトーン値に対する上記制御用の値をそれぞれ関連づけた疑似的なカーブ（補正カーブ）として表される。ある例では、この補正用のパラメータは、画像データに含まれ得るトーン値Ｔｃ１，Ｔｃ２，…ＴｃＮのそれぞれについて、制御用の値Ｃ１，Ｃ２，…ＣＮを関連づけたデータである（この各データに基づいてプロットすれば、補正カーブとなる）。制御部１１は、処理Ｓ２で生成したトーンカーブと目標トーンカーブとの比較により、補正カーブを調整して、プリンタ２における画像形成から得られるトーンカーブが目標トーンカーブに近くなるようにする。
【００２９】
また、処理Ｓ７で行われる統計演算は、例えば平均演算であり、処理Ｓ５で生成した補正用のパラメータと、処理Ｓ６で読み出した補正用のパラメータとの平均を演算して、修正補正パラメータとする。例えば各トーン値Ｔｃｉ（ｉは、１〜Ｎ）に対応して各補正用のパラメータによって示される制御用の値Ｃｉの平均値を、トーン値Ｔｃｉに対する修正補正パラメータの値とする。
【００３０】
さらに、処理Ｓ７において行われる統計演算は、重みを付与して行われる統計演算値（統計量）であってもよい。かかる統計量の具体例の一つは、重みづけ平均であり、処理Ｓ５で生成した補正用のパラメータと、処理Ｓ６で読み出した各補正用のパラメータとに、それぞれ所定の重みを乗じてから加算を行い、乗じた重みの和で除して、修正補正パラメータとする。この重みは、例えば今回生成したトーンカーブを「１」とし、処理Ｓ６で読み出した各補正用のパラメータに対する重みは、それぞれに対応づけてデータベース部１３に格納されている日時情報と、現在日時の情報（現在日時を計時するカレンダ部（不図示）から取得する）との時間差に基づき、当該時間差の逆数など、過去になるほど重みが小さくなるように決定してもよい。
【００３１】
また、今回生成した補正用のパラメータと処理Ｓ６で読み出した各補正用のパラメータとの平均値を演算し、さらに当該演算した平均値から、今回生成した補正用のパラメータと処理Ｓ６で読み出した各補正用のパラメータとのそれぞれの分散を演算して、分散の逆数を重みとするなど、分散の小さいものほど重みを大きくするようにしてもよい。このようにすると、今回生成した補正用のパラメータの分散が大きい場合（すなわち過去の補正用のパラメータに比べて今回の補正用のパラメータのずれ量が大きい場合）に過去の補正用のパラメータの寄与が大きくなって補正用のパラメータの変化が小さく抑えられる。
【００３２】
さらに、これら例示した統計処理の方法は、ユーザが任意に選択できるようにしてもよいし、補正処理が行われるタイミングに応じて制御部１１がどの方法を採るかを選択するようにしてもよい。例えば、データベース部１３に格納されている各補正用のパラメータに関連づけられている日時情報をそれぞれ取得し、当該取得した日時情報によって表される日時の間隔の平均（すなわち補正処理の間隔の平均日数や平均時間など）を算出する。そしてこの平均が５から９日（つまり、１週間に１度程度）であれば、統計処理として過去のものほど重みを小さくした重みづけ平均を演算する方法を用い、上記日時の間隔の平均が４日以下（すなわちほぼ毎日）であれば、統計処理として（重みづけのない）平均を演算する方法を用いることとする。
【００３３】
このように、補正処理が行われるタイミングに応じて、修正補正パラメータの生成処理を異ならせることで、デバイス特性の変動が比較的長期的なものであるか、短期的なものであるかに応じた適切な補正処理を実現できる。
【００３４】
なお、こうしたタイミングに応じた処理を行うことと関係して、本実施の形態の画像処理装置１の制御部１１は、ユーザによって予め設定されたタイミングが到来するごとに、プリンタ２に対してキャリブレーションパターンを印刷するよう指示してもよい。すなわち制御部１１は、前回補正処理を行った日時をデータベース部１３に補正用のパラメータに関連づけて格納されている情報などから検出し、この検出した日時と現在日時との差が、予め設定されている差より大きくなったときにプリンタ２に対してキャリブレーションパターンを印刷するよう指示する。
【００３５】
すなわち、本実施の形態の画像処理装置１は、過去に用いられた修正補正パラメータを保持しておき、補正処理の際に今回のキャリブレーションパターンから得られたトーンカーブと基準となっている目標トーンカーブとの差に基づいて補正パラメータを演算し、上記保持している修正補正パラメータと、当該演算した補正パラメータとの統計演算により、今回の補正処理で生成する修正補正パラメータを生成する。
【００３６】
これにより、プリンタ２等のデバイスの特性が短期的に変動したとしても、当該短期的変動に基づく補正用のパラメータが、過去の修正補正パラメータによって調整され、短期的変動に起因する過度の補正が行われることなくなって、補正を適正に行うことができるようになる。
【００３７】
またさらに短期的な変動に対処可能とするため、プリンタ２が、キャリブレーションパターンを印刷する指示を受け付けたときに、複数のキャリブレーションパターンの形成を行い、ユーザが形成された各キャリブレーションパターンを順次スキャナ３にセットしながら、画像処理装置１に読み込みを指示し、画像処理装置１が、当該ユーザからの指示に従って読み取った複数の画像データのそれぞれに基づく、複数のトーンカーブを算出し、算出したトーンカーブの平均等の統計演算結果と、目標トーンカーブとを比較して、補正用のパラメータを演算するようにしてもよい。そしてこの演算された補正用のパラメータは、上述の処理と同様に、過去の修正補正パラメータによって調整される。
【００３８】
なお、本実施の形態の画像処理装置は、ここまでの説明の例に限られるものではない。例えば、上述の例では、データベース部１３には修正補正パラメータを格納していたが、これに代えて、又はこれとともに、過去の補正処理の際に生成した補正パラメータ（より過去のパラメータに基づく修正が行われる前のデータ）を格納してもよいし、過去の補正処理の際に、スキャナ３から読み取った画像データに基づいて生成したトーンカーブであってもよいし、スキャナ３から読み取った画像データそのものであってもよい。すなわち、このように過去の補正処理に係るデータであれば、どれを保持しておいても、それらからそれぞれの時点で利用された修正補正パラメータを生成し、上述の処理を行うことができる。
【００３９】
さらに、データベース部１３に格納されている過去のデータについては、その一部を利用するようにしておいてもよい。例えば最近のＫ個の修正補正パラメータのみを上述の処理Ｓ６で選択的に読み出すこととしてもよい。この場合、Ｋ個分の修正補正パラメータがデータベース部１３に格納されていれば、他の修正補正パラメータは削除されてもよい。
【００４０】
また、ここでは画像処理装置１は、プリンタ２やスキャナ３と別体の装置であるかのように示しているが、プリンタ２やスキャナ３と一体の装置として構成してもよい。また、上述の例では、生成された修正補正パラメータは、プリンタ２に供されているが、プリンタ２を識別する情報に関連づけて、当該プリンタ２に対して印刷指示を行うコンピュータ装置（不図示）に対して、当該修正補正パラメータを供し、当該コンピュータ装置における、プリンタ２に出力する画像データの調整の処理（例えば色補正など）に供してもよい。さらにここでは、キャリブレーションパターンを形成した媒体をスキャナ３で読み取り、実際に形成されたトーンの値を得ているが、これに代えて、キャリブレーションパターンを形成した媒体から、実際に形成された各トーンの値を単体の測色計や濃度計で測定し、その測定した値をユーザが操作部１４から入力することとしてもよい。
【図面の簡単な説明】
【図１】本発明の実施の形態に係る画像処理装置の一例と、デバイスとの接続例とを表す構成ブロック図である。
【図２】キャリブレーションパターンの例を表す説明図である。
【図３】本発明の実施の形態に係る画像処理装置によって行われる補正処理の一例を表すフローチャート図である。
【図４】トーンカーブにおける比較位置の例を表す説明図である。
【符号の説明】
１  画像処理装置、２  プリンタ、３  スキャナ、１１  制御部、１２  記憶部、１３  データベース部、１４  操作部、１５  入出力部。
【図１】
2005027060.tif 000003
【図２】
2005027060.tif 000004
【図３】
2005027060.tif 000005
【図４】
2005027060.tif 000006